(57)【要約】【課題】指圧突起体を被施療部位の皮膚に対して略垂直に押圧させて良好なマッサージ感を確保すると共に、狙いのツボの位置に合わせて指圧突起体の位置調節を適宜行わせることのできるエアマッサージ機を提供する。【解決手段】人体の被施療部位を位置させる凹溝状の施療部２を有し、この施療部２の溝内面に施療部２の内方に向けて膨張可能な空気袋３を配設し、この空気袋３内に給排気を行うエア給排部を備えたエアマッサージ機である。エアマッサージ機の表面を覆うカバー４における空気袋３の被覆部位にポケット部５を設ける。ポケット部５内に被施療部位を局所的に押圧する指圧突起体７を挿入配置する。【選択図】        図１
2004357940.tif 000002
【特許請求の範囲】
【請求項１】
人体の被施療部位を位置させる凹溝状の施療部を有し、この施療部の溝内面に施療部の内方に向けて膨張可能な空気袋を配設し、この空気袋に給排気を行うエア給排部を備えたエアマッサージ機であって、エアマッサージ機の表面を覆うカバーにおける空気袋の被覆部位にポケット部を設け、このポケット部内に被施療部位を局所的に押圧する指圧突起体を挿入配置したことを特徴とするエアマッサージ機。
【請求項２】
上記ポケット部に、指圧突起体の出し入れを可能とする開口部を設けたことを特徴とする請求項１記載のエアマッサージ機。
【請求項３】
上記請求項１または２のエアマッサージ機を、被施療部位を人体の足裏とし、上方に開口せる凹溝状の施療部の溝底に空気袋を配設すると共にこの空気袋を上方に向けて膨張可能とすることで足裏用エアマッサージ機とし、この足裏用エアマッサージ機を、背凭れ部及び座部からなると共にマッサージ機構を備えたマッサージ椅子に付設したことを特徴とするエアマッサージ機。
【発明の詳細な説明】
【０００１】
【発明の属する技術分野】
本発明は、ツボ押しを伴って人体の被施療部位にマッサージを施すエアマッサージ機に関する発明である。
【０００２】
【従来の技術】
ツボ押しを伴って人体の被施療部位にマッサージを施すエアマッサージ機には様々な種類のものがあるが、代表的なものとして足裏用エアマッサージ機がある。この足裏用エアマッサージ機には、従来、たとえば図５や図６に示すのものがある（たとえば特許文献１、特許文献２参照）。
【０００３】
詳しくは、図５の足裏用エアマッサージ機１′は、ボックス状の本体ハウジング２０に、給排気によって上下に膨縮する空気袋３の上面に足裏のツボを押圧する指圧突起体７を固定した押圧部２１を内装し、空気袋３の膨縮によって指圧突起体７を足裏載置部となる本体ハウジング２０の上面２０ａに上下に突没させると共に、押圧部２１自体が前後方向に摺動駆動されるように構成されている。また、図６の足裏用エアマッサージ機１″は、足先を挿入載置する凹溝状の施療部２を有し、この施療部２の両溝壁及び溝底に給排気によって上下に膨縮する空気袋３を配置し、施療部２の溝底にある空気袋３の上面に足裏のツボを押圧する指圧突起体７を固定し、空気袋３の膨縮によって指圧突起体７を施療部２内に上下に突没させるように構成されている。
【０００４】
【特許文献１】
特開２０００−１６７０２１号公報
【特許文献２】
特開平１１−１２８２８９号公報
【０００５】
【発明が解決しようとする課題】
しかしながら、上記例に挙げた足裏用エアマッサージ機１′，１″では、押圧部２１が略水平に摺動駆動したりするものの、指圧突起体７の設置位置はあらかじめ決められた位置に設定された状態にあり、指圧突起体７の位置調整を自由に行うことができないものである。ところで、足の大きさには個人差があるから、足裏にある所定のツボの位置も個人によって異なっている。また、押圧したい足裏にあるツボもその時々によって異なるものである。しかして、上記例に挙げた足裏用エアマッサージ機１′，１″のように、指圧突起体７の設置位置があらかじめ決められた位置に設定されたものは、狙いのツボの位置に合わせて指圧突起体７の位置調節を適宜行うことができず、使用性が悪いものであった。
【０００６】
なお、指圧突起体７を空気袋３の上面に配置するにあたって、上記例のように空気袋３の上面に指圧突起体７を直接固定する代わりに、図７のように空気袋３の上方に位置する本体ハウジング２０に指圧突起体７を固定することも行われていたが、この場合、空気袋３の上方への膨張を妨げないように指圧突起体７は本体ハウジング２０に対して片持ち状に固定され、本体ハウジング２０に片持ち状に固定された指圧突起体７は空気袋３の膨張によると固定されていない側の部位のみが上方に移動することから、この指圧突起体７は被施療部位の皮膚に対して斜めに押圧することとなる。つまり、この場合には、上述した指圧突起体７の適宜の位置調節が困難な問題に加え、指圧突起体７が被施療部位の皮膚に対して略垂直に押圧できないことによるマッサージ感の低下の問題もある。
【０００７】
本発明は上記の点に鑑みてなされたものであり、指圧突起体を被施療部位の皮膚に対して略垂直に押圧させて良好なマッサージ感を確保すると共に、狙いのツボの位置に合わせて指圧突起体の位置調節を適宜行わせることのできるエアマッサージ機を提供することを課題とするものである。
【０００８】
【課題を解決するための手段】
上記課題を解決するために本発明に係るエアマッサージ機は、人体の被施療部位を位置させる凹溝状の施療部２を有し、この施療部２の溝内面に施療部２の内方に向けて膨張可能な空気袋３を配設し、この空気袋３に給排気を行うエア給排部を備えたエアマッサージ機であって、エアマッサージ機の表面を覆うカバー４における空気袋３の被覆部位にポケット部５を設け、このポケット部５内に被施療部位を局所的に押圧する指圧突起体７を挿入配置したことを特徴とする。
【０００９】
これによると、カバー４のポケット部５に挿入配置した指圧突起体７は、空気袋３の膨張に従って施療部２の内方に膨らむカバー４と共に施療部２の内方に移動できることから、指圧突起体７を被施療部位の皮膚に対して略垂直に押圧させることができて良好なマッサージ感が確保できる。また、このように指圧突起体７はエアマッサージ機とは直接連結されずにカバー４を介してエアマッサージ機に付設されたものであるから、ポケット部５内で指圧突起体７の位置をずらすことで指圧突起体７の位置調節を適宜行うことができる。
【００１０】
また、上記ポケット部５に、指圧突起体７の出し入れを可能とする開口部６を設けたことも好ましい。これによると、開口部６を介してポケット部５に挿入配置する指圧突起体７の交換を適宜行うことができる。
【００１１】
また、上記エアマッサージ機を、被施療部位を人体の足裏とし、上方に開口せる凹溝状の施療部２の溝底に空気袋３を配設すると共にこの空気袋３を上方に向けて膨張可能とすることで足裏用エアマッサージ機１とし、この足裏用エアマッサージ機１を、マッサージ機構を備えたマッサージ椅子１０に付設したことも好ましい。これによると、マッサージ椅子１０による人体の背部などへのマッサージに加え、指圧突起体７による足裏のツボへのマッサージを適宜使用者に施すことができ、使用者の人体の各部位に多様で効果的なマッサージを施すことができる。
【００１２】
【発明の実施の形態】
以下、本発明を添付図面に示す実施形態に基づいて説明する。
【００１３】
図１乃至図４に本発明の実施の形態の例を示す。本例のエアマッサージ機は、人体の被施療部位として人体の足先（足首以下の部位）に揉みや叩きなどのマッサージを施すと共に、足裏のツボを局所的に押圧するツボ押しマッサージを施す足裏用エアマッサージ機１である。このエアマッサージ機は、人体の被施療部位を位置させる凹溝状の施療部２を形成し、この施療部２の溝内面に施療部２の内方に向けて膨張可能な空気袋３を配設し、空気袋３内に給排気を行うエア給排部を備えており、そしてエアマッサージ機の表面をカバー４で覆って構成されている。
【００１４】
詳しくは、右足及び左足用の一対の施療部２が並設され、この施療部２は前後及び上方に開口する凹溝状に形成されている。この凹溝状の施療部２の溝壁及び溝底にはそれぞれ空気袋３が配置されている。なお便宜上、施療部２の溝壁にある空気袋３は溝壁空気袋３ａと称し、施療部２の溝底にある空気袋３は溝底空気袋３ｂと称する。この溝壁空気袋３ａ及び溝底空気袋３ｂにはエアポンプや排気弁などで構成されるエア給排部（図示せず）が接続されており、溝壁空気袋３ａは施療部２の溝壁から側方に向けて膨張可能とされ、溝底空気袋３ｂは施療部２の溝底から上方に向けて膨張可能とされている。なお、エア給排部は空気袋３の膨縮のタイミングを制御する制御部（図示せず）と接続されている。
【００１５】
また、エアマッサージ機の表面を覆うカバー４はたとえば皮革製や布製の縫製品にて構成されている。なお、凹溝状の施療部２を覆ったカバー４は各空気袋３を覆うようにされている。ここで、このカバー４における施療部２の溝底を覆う部位にはポケット部５が設けられている。このポケット部５は図３のようにカバー４を２重に重ねて形成されており、その前後には開口部６が形成されている。そして、このポケット部５には、足裏のツボを押圧する指圧突起体７が挿入配置される。本例の指圧突起体７は板状の基台７ａの上面の複数箇所にそれぞれ上方に突出する大突起７ｂ及び小突起７ｃが複数設けられて構成されている。つまり、溝壁空気袋３ａの上方位置に指圧突起体７が配置されているのである。
【００１６】
このように構成された本例のエアマッサージ機は、施療部２の溝底に足裏を載せるようにして施療部２内に足先を配置させ、エア給排部を駆動させて各空気袋３ａ，３ｂを膨縮させることで、溝壁空気袋３ａの膨張圧を足横に負荷させると共に、溝底空気袋３ｂの膨張圧を指圧突起体７を介して足裏に負荷させ、足先にマッサージを施すようにされている。なお、指圧突起体７によるとその大突起７ｂ及び小突起７ｃによって足裏のツボを局所的に押圧できるようにされている。
【００１７】
ここで、本例の指圧突起体７はカバー４のポケット部５に配置され、つまり指圧突起体７はカバー４に支持されてエアマッサージ機に付設されているから、溝底空気袋３ｂを膨張させると、溝底空気袋３ｂの膨張に従って施療部２の上方に膨らむカバー４と共に指圧突起体７は施療部２の上方に移動される。つまり、本例の指圧突起体７は、従来技術の項で述べたようにエアマッサージ機の本体ハウジング２０にその一端を連結させるようなものではないため、指圧突起体７を被施療部位の皮膚に対して略垂直に押圧させることが可能とされているのであり、良好なツボ押しのマッサージ感を足裏に付与できるものとされている。更にいうと、本例の指圧突起体７は溝底空気袋３ｂの上面に略亙るように積層配置される板状の基台７ａを備えているので、溝底空気袋３ｂの上方への膨張を基台７ａで受けることができるのであり、指圧突起体７全体を被施療部位の皮膚に対して略垂直に確実に移動させ得るようにされている。
【００１８】
また、この指圧突起体７はエアマッサージ機とは直接連結されずにカバー４を介してエアマッサージ機に付設されたものであるから、指圧突起体７をポケット部５の内部で前後方向にずらすことが可能であり、個人差のある足裏のツボ位置に合わせて指圧突起体７の位置調節を適宜行うことができるといった利点も有している。なお、本例では、指圧突起体７は平面視でポケット部５と略同じ大きさに形成された基台７ａを備えているが、ポケット部５には開口部６が備えられているから、この開口部６から基台７ａの一部をポケット部５の外方に突出させるようにすることで、指圧突起体７をポケット部５内でずらすことを可能としている。無論、図示はしないがポケット部５を指圧突起体７より充分に大きく形成しておいてもよく、これによるとポケット部５に開口部６が無くとも、ポケット部５内で指圧突起体７の位置をずらして指圧突起体７の位置調節を適宜行うことができるのは言うまでもない。なお、ポケット部５に開口部６を設けたことは、すなわち開口部６を介してポケット部５に挿入配置する指圧突起体７の交換を適宜行い得るといった利点を備えるものである。つまり、足の大きさなどに合わせた指圧突起体７を予め数種類用意しておき、使用者に合わせて適宜指圧突起体７を選んで使用させるといった使用形態を採用することができるのであり、エアマッサージ機の使用性の向上が図られているのである。
【００１９】
なお、上述した足裏用エアマッサージ機１は、図４のように、マッサージ機構を備えたマッサージ椅子１０に付設して使用するようにしてもよい。詳しくは、マッサージ椅子１０は、使用者を着座させる座部１１の両側方には肘掛け１２を備え、この座部１１の後部には使用者の背凭れとなる背凭れ部１３をリクライニング可能に設け、座部１１の前部には使用者のふくらはぎを載置する脚載せ部１４を備えており、そして、上記足裏用エアマッサージ機１はこのマッサージ椅子１０に座った使用者の足先を載置させるように配置される。なお、背凭れ部１３には肩叩きや肩揉みや背部を押圧するマッサージ機構が内蔵されており、脚載せ部１４にはふくらはぎをマッサージするマッサージ機構が内蔵されている。なお、この場合、足裏用エアマッサージ機１の制御部はマッサージ椅子１０の各部のマッサージ機構を制御する制御部１５の一部を構成するようにされている。
【００２０】
このようにマッサージ椅子１０に足裏用エアマッサージ機１を付設した場合には、マッサージ椅子１０による使用者の背部やふくらはぎなどのマッサージに加え、指圧突起体７での足裏のツボの押圧によるマッサージを適宜使用者に施すことができ、使用者の人体の各部位に多様で効果的なマッサージを相乗的に施すことができるようにされているのである。
【００２１】
なお、上述した実施の形態の例では、本発明のエアマッサージ機を足裏用エアマッサージ機１に用いたものについて説明したが、被施療部位としては足先だけに限られず、つまり本発明のエアマッサージ機の構成を脚載せ部１４や背凭れ部１３に内蔵するマッサージ機構などに用いてもよい。これによると、使用者の人体の各部位に指圧突起体７によるツボ押しマッサージを施すようにできる。また、カバー４の溝壁空気袋３ａを覆う部位にポケット部５を設けて、このポケット部５に指圧突起体７を収容させてもよく、これによると、施療部２に配置した被施療部位における溝壁隣接部位にあるツボにも指圧突起体７によって適宜ツボ押しマッサージを施すようにできる。
【００２２】
【発明の効果】
以上説明したように、本発明では、エアマッサージ機の表面を覆うカバーにおける空気袋の被覆部位にポケット部を設け、このポケット部内に被施療部位を局所的に押圧する指圧突起体を挿入配置したので、カバーのポケット部に挿入配置した指圧突起体は空気袋の膨張に従って施療部の内方に膨らむカバーと共に施療部の内方に移動され、指圧突起体を被施療部位の皮膚に対して略垂直に押圧させて良好なマッサージ感を使用者に付与させることを確保しており、また、このように指圧突起体はエアマッサージ機とは直接連結されずにカバーを介してエアマッサージ機に付設されたものであるから、ポケット部内で指圧突起体の位置をずらすことで、狙いのツボの位置に合わせて指圧突起体の位置調節を適宜行わせることができるのである。
【図面の簡単な説明】
【図１】本発明の実施の形態の例のカバーを透視した足裏用エアマッサージ機の斜視図である。
【図２】（ａ）は同上の足裏用エアマッサージ機の上面図であり、（ｂ）は正面図である。
【図３】同上の足裏用エアマッサージ機の要部を示すものであり、（ａ）は正面図であり、（ｂ）は斜視図である。
【図４】同上の足裏用エアマッサージ機をマッサージ椅子に付設した例であり、（ａ）は側面図であり、（ｂ）は正面図である。
【図５】従来技術の例の足裏用エアマッサージ機の斜視図である。
【図６】従来技術の他例の足裏用エアマッサージ機の正面断面図である。
【図７】従来技術の更に他例の足裏用エアマッサージ機の要部の断面図である。
【符号の説明】
１  足裏用エアマッサージ機
２  施療部
３  空気袋
３ａ  溝壁空気袋
３ｂ  溝底空気袋
４  カバー
５  ポケット部
６  開口部
７  指圧突起体
【図１】
2004357940.tif 000003
【図２】
2004357940.tif 000004
【図３】
2004357940.tif 000005
【図４】
2004357940.tif 000006
【図５】
2004357940.tif 000007
【図６】
2004357940.tif 000008
【図７】
2004357940.tif 000009